(57)【要約】【課題】  コストＵＰすることなく雑防コンデンサの耐熱性と温度プロテクタの確実な動作を確保できる界磁組立体を有する小型・高出力の電動送風機を提供する。【解決手段】  界磁組立体と界磁組立体が組込まれた略円筒状ブラケットＢの内周部に形成された空隙部を覆う扇形状したシールプレート部を有した巻枠であって、前記シールプレート部には扇形状の中央部に略格子状の通風穴を有すると共に、前記通風穴に対応する位置に雑防コンデンサや温度プロテクタを配置固定したことを特徴とする界磁組立体。【選択図】  図３
2006149138.tif 000002
【特許請求の範囲】
【請求項１】
略矩形状した界磁鉄心の両端に配置され、界磁コイルを保持固定している合成樹脂等の電気絶縁材で形成された一対の巻枠と、対向する巻枠間の界磁鉄心側面に配置された雑防コンデンサあるいは温度プロテクタより構成された界磁組立体であって、前記巻枠は、界磁組立体と界磁組立体が組込まれた略円筒状ブラケットＢの内周部に形成された空隙部を覆う扇形状したシールプレート部を有しており、前記シールプレート部には扇形状の中央部に略格子状の通風穴を有すると共に、前記通風穴に対応する位置に雑防コンデンサあるいは温度プロテクタを配置固定したことを特徴とする界磁組立体。
【請求項２】
略矩形状した界磁鉄心の両端に配置され、界磁コイルを保持固定している合成樹脂等の電気絶縁材で形成された一対の巻枠と、対向する巻枠間の界磁鉄心側面に配置された雑防コンデンサ及び温度プロテクタより構成された界磁組立体であって、前記巻枠は、界磁組立体と界磁組立体が組込まれた略円筒状ブラケットＢの内周部に形成された空隙部を覆う扇形状したシールプレート部を有しており、前記シールプレート部には扇形状の中央部に略格子状の通風穴を有すると共に、前記通風穴に対応する位置に雑防コンデンサ及び温度プロテクタを配置固定したことを特徴とする界磁組立体。
【請求項３】
略矩形状した界磁鉄心の両端に配置され、界磁コイルを保持固定している合成樹脂等の電気絶縁材で形成された一対の巻枠と、対向する巻枠間の界磁鉄心側面に電子回路または電子部品を有する界磁組立体であって、前記巻枠は、界磁組立体と界磁組立体が組込まれた略円筒状ブラケットＢの内周部に形成された空隙部を覆う扇形状したシールプレート部を有しており、前記シールプレート部には扇形状の中央部に略格子状の通風穴を有すると共に、前記通風穴に対応する位置に電子回路または電子部品を配置固定したことを特徴とする界磁組立体。
【請求項４】
請求項１から請求項３に記載のいずれかの界磁組立体を有する電動送風機。
【請求項５】
請求項４に記載の電動送風機を有する掃除機。
【発明の詳細な説明】
【技術分野】
【０００１】
本発明は、保護装置としての雑防コンデンサや温度プロテクタを有する界磁組立体に関する。
【背景技術】
【０００２】
従来、この種の界磁組立体としては、例えば特許文献に記載されているようなものがあった。図６は前記特許文献に記載された従来の界磁組立体を用いた電動送風機を示している。図６において、界磁組立体３は円筒形状したブラケットＢ６の内周部６ｂに圧入保持されている。略矩形状した界磁鉄心３ａとブラケットＢ内周部６ｂの間に形成された４箇所の空隙部１１には、界磁組立体３に保持固定された雑防コンデンサや温度プロテクタが配置されており、界磁組立体３の回転ファン７側側面には、前記空隙部１１を複数個覆うように形成されたシールプレート１０が挿入されている。
【特許文献１】特開２００１−２３４８９７号公報
【発明の開示】
【発明が解決しようとする課題】
【０００３】
しかしながら、前記従来の構成では、空隙部を覆うシールプレート１０と雑防コンデンサや温度プロテクタとの位置関係において、シールプレート１０の効果的な冷却効果を狙うべく３箇所以上の空隙部１１を覆う構成とした場合は、雑防コンデンサや温度プロテクタの両方、ないしはいずれか一方をシールプレート１０で覆う構成とせざるを得なかった。また、近年の更なる小型・高出力化の競争の中では、電動機自体の発熱量が大きくなっており、雑防コンデンサを配置した空隙部１１をシールプレート１０で塞いだ場合は、雑防コンデンサの冷却を確保できず、より耐熱性の高い雑防コンデンサに変更せざるを得なくなり、コスト的に高くなってしまう問題点が出てきた。逆に温度プロテクタ側を塞ぐ構成として場合は、冷却風が流れないことにより応答性が遅くなる等の課題があった。
【０００４】
上記問題を解決する対応策として、雑防コンデンサと温度プロテクタを挿入していない２箇所の空隙部を塞いだだけのシールプレート構成が考えられたが、コストアップの割にはシールプレート本来の冷却効果が十分得られない課題があった。
【課題を解決するための手段】
【０００５】
上記課題を解決するために本発明は、界磁コイルを保持固定している合成樹脂等の電気絶縁材で形成され、円筒状ブラケットとの間の空隙を覆う扇形状したシールプレート部を有する巻枠であって、前記扇形状の巻枠シールプレート部には、中央部に略格子状の通風穴を有していると共に、前記通風穴に対応する位置に雑防コンデンサや温度プロテクタを配置したことを特徴とする界磁組立体であって、通風穴を通して雑防コンデンサの冷却や温度プロテクタへの通風を確保させたものである
【発明の効果】
【０００６】
本発明の界磁組立体によれば、シールプレート部に設けた通風穴を通して雑防コンデンサに冷却風を当てることにより、雑防コンデンサの異常発熱を抑えることができる。一方、温度プロテクタに対しては、適切な冷却風を確保することにより、安定した動作を確保することが出来る。更には扇形状したシールプレート部を巻枠と一体形状としたことにより、部品点数を増やすことなく、通風穴以外の空隙部を効果的に塞ぐことができるために、シールプレートの本来の冷却効果を確保することができる。
【０００７】
したがって、コストＵＰすることなく雑防コンデンサの耐熱性と温度プロテクタの確実な動作を確保できる界磁組立体を有する小型・高出力の電動送風機を提供することができる。
【発明を実施するための最良の形態】
【０００８】
以下に、本発明の実施例について、図面を参照しながら説明する。
【実施例１】
【０００９】
図１から図５において、本発明の実施例を説明する。
【００１０】
図１から図３は本発明の界磁組立体の実施例を、図４及び図５は本発明の界磁組立体が組込まれた電動送風機の実施例を示す。１は、回転ファン７とエアガイド８と前記回転ファン７、エアガイド８を覆うファンケース９と、界磁組立体１５、電機子１６、ブラシ保持器組立１７、およびそれらを保持固定するブラケットＡ５、ブラケットＢ６からなる電動送風機である。界磁組立体１５はブラケットＢ６の略円筒部内部６ｂに圧入保持され、界磁組立体１５の中心内部には、電機子１６が配置され一対の軸受１８にて回転自在に保持固定されている。ブラケットＢ６には対向する一対のブラシ保持器組立１７が取付けられている。
【００１１】
前記界磁組立体１５は略矩形状した界磁鉄心１９と、界磁鉄心に巻き込まれた界磁コイル２０と、界磁コイル２０を保持固定している合成樹脂等の電気絶縁材にて形成された一対の巻枠２１、２２より構成され、界磁鉄心１９の側面には保護装置としての雑防コンデンサ２３と温度プロテクタ２４を有している。
【００１２】
前記一対の巻枠２１、２２のうちブラケットＡ５に面した巻枠２１は、略矩形状した界磁鉄心１９と界磁鉄心１９が組込まれる略円筒状のブラケットＢ６の内周部６ｂとの間に形成された空隙部１１を覆う扇形状した巻枠シールプレート部２１ａを有している。前記シールプレート２１ａには扇形状の中央部に略格子状の通風穴２１ｂが設けてあり、雑防コンデンサ２３や温度プロテクタ２４は、前記通風穴２１ｂに対応する位置に配置固定されている。
【００１３】
ここで、電動送風機１に電源が印加されると電機子１６が回転する。電機子１６が回転することにより、電機子軸１６ａを介して回転ファン７が高速回転し、ファンケース９の吸込口９ａより空気が吸込まれる。吸込まれた吸込風は回転ファン７を通り、エアガイド８を経由して、電動送風機１の内部へ導かれる。電動送風機１内部へ取り込まれた吸込風は、冷却風となり、界磁１５、電機子１６を冷却しながらブラケットＢ６の風穴６ｃから外部へ排気されていく。
【００１４】
ここで、冷却風の一部は、界磁組立体１５とブラケットＢ６の内周部６ｂに形成された空隙部１１を経由して風穴６ｃから排出されることとなるが、界磁組立体１５の巻枠２１に設けた巻枠シールプレート部２１ａで空隙部１１を遮蔽することにより、界磁組立体１５の内部へより多くの冷却風が流れることとなる。より多くの冷却風が界磁組立体１５の内部を流れることにより、冷却風が増加し界磁コイル２０・電機子コイル１６ｂを効果的に冷却することができ、巻線の温度を低減させることとなる。
【００１５】
一方、扇形状したシールプレート部２１ａに設けた通風穴２１ｂに雑防コンデンサ２３、温度プロテクタ２４を配置させたことにより、通風穴２１ｂを通して冷却風が雑防コンデンサ２３、温度プロテクタ２４を冷却しながら、界磁組立体１５の内部へ流れることとなる。
【００１６】
これにより、界磁コイル２０・電機子コイル１６ｂの冷却風の冷却効果を低減させることなく、効果的に雑防コンデンサ２３・温度プロテクタ２４の温度を低減させることができる。
【００１７】
本発明の実施例においては、略扇形状した巻枠シールプレート部２１ａの個数を対向する２箇所に設けているが、個数については、複数個有していても問題はない。
【００１８】
更には、本発明の実施例においては、略扇形状した巻枠シールプレート部２１ａが界磁巻枠２１と一体形状としているが、別部品で構成されていても問題はない。
【００１９】
更には、本発明の実施例においては、空隙部１１を覆うシールプレート部２１ａをブラケットＡ５に面した巻枠２１と一体形状としているが、ブラケットＢ６側に面した巻枠２２側に設けても問題ないし、あるいは両方の巻枠２１、２２に設けてあっても問題はない。
【００２０】
更には、本発明の実施例においては、界磁鉄心１９とブラケットＢ６の内周部６ｂとの間に形成される空隙部１１に、雑防コンデンサ２３と温度プロテクタ２４を両方配置した構成としているが、雑防コンデンサ２３と温度プロテクタ２４を単独で使用した界磁組立体としていても問題はない。
【００２１】
更には、界磁鉄心１９とブラケットＢ６の内周部６ｂとの間に形成される空隙部１１に挿入される部品は、電動送風機の速度制御を行なう為の電子回路や電子部品であっても問題はない。
【００２２】
このように、本発明の界磁組立体１５によれば、雑防コンデンサ２３の発熱を防ぐ一方、温度プロテクタ２４の安定した動作を確保することができる。
【００２３】
したがって、コストＵＰすることなく雑防コンデンサの耐熱性と、温度プロテクタの確実な動作を確保できる小型・高出力の電動送風機を提供することができる。
【産業上の利用可能性】
【００２４】
本発明の界磁組立体は、小型・軽量の構成でありながら、安価で、かつ雑防コンデンサの信頼性と温度プロテクタの安定した動作を確保することができる電動送風機等の用途に有用である。
【図面の簡単な説明】
【００２５】
【図１】本発明の実施例１の界磁組立体のブラケットＡ側より観た形状を示す外観図
【図２】図１におけるＸ方向から見た界磁組立体の形状を示す側面図
【図３】本発明の実施例１の界磁組立体の雑防コンデンサ、並びに温度プロテクタの取付け位置を表す外観図
【図４】本発明の実施例１の界磁組立体を組込んだ電動送風機の形状を示す一部断面図
【図５】本発明の実施例１の界磁組立体を組込んだ電動送風機の形状を示す外観図
【図６】本発明の実施例２の界磁組立体のブラケットＡ側より観た形状を示す外観図
【図７】従来の実施例の界磁組立体を用いた電動送風機を示す側面断面図
【符号の説明】
【００２６】
１５  界磁組立体
１９  界磁鉄心
２０  界磁コイル
２１、２２  巻枠
６  ブラケットＢ
６ｂ  内周部
１１  空隙部
２１ａ  シールプレート部
２１ｂ  通風穴
２３  雑防コンデンサ
２４  温度プロテクタ
【図１】
2006149138.tif 000003
【図２】
2006149138.tif 000004
【図３】
2006149138.tif 000005
【図４】
2006149138.tif 000006
【図５】
2006149138.tif 000007
【図６】
2006149138.tif 000008
【図７】
2006149138.tif 000009